(57)【要約】【課題】容器に付属品を付けても容器の外形寸法からはみ出ず、容器から付属品が脱落しないで、しかも製作が容易であり、更に一旦容器から付属品を外しても、再び容器に嵌めることができる付属品付き容器を提供する。【解決手段】容器２の側部３に１以上の付属品収納凹部５を設け、この収納凹部５はその下部に付属品４の支持台座６を有すると共にその上部を開放し、且つ付属品４を止める収納止め部７を有し、更に容器２の収納凹部５に付属品４を収納し、その付属品４の上部を裸出した状態でラベル用のシュリンクフィルム８を被せ、付属品を容器のほぼ最大外形寸法の範囲内となるようにしたことで、上記課題を達成することができる。【選択図】      図９
2004231231.tif 000002
【特許請求の範囲】
【請求項１】
容器の側部に１以上の付属品収納凹部を設け、該収納凹部はその下部に前記付属品の支持台座を有すると共にその上部を開放し、前記付属品に圧接的に摺接する収納止め部を有することを特徴とする付属品付き容器。
【請求項２】
前記収納止め部は、収納凹部端部に前記付属品に圧接的に摺接する微小突起が設けられている請求項１記載の付属品付き容器。
【請求項３】
前記容器の収納凹部に前記付属品を収納し、該付属品の上部を裸出した状態でラベル用のシュリンクフィルムを被せてなる請求項１記載の付属品付き容器。
【請求項４】
前記付属品は、前記収納凹部に収納した状態で前記容器のほぼ最大外形寸法の範囲内にある請求項１ないし３のいずれれか１項記載の付属品付き容器。
【請求項５】
前記付属品は、両端が封止された筒状のシート又はフィルムによって包装されたストローである請求項１ないし４のいずれか１項記載の付属品付き容器。
【請求項６】
前記付属品は、両端が封止されたスティックタイプの調味品である請求項１ないし４のいずれか１項記載の付属品付き容器。
【発明の詳細な説明】
【０００１】
【発明の属する技術分野】
本発明は、付属品付き容器に関し、より詳しくは、容器内容物に関連したストロー、スプーン、砂糖あるいは粒状のミルクなどの付属品を支持する台座及び収納止め部を有し上部が開放している収納凹部を容器の側部に設けた付属品付き容器に関する。
【０００２】
【従来の技術】
飲食物用の容器は、その内容物である飲食物の漏れや菌類や異物の侵入を防ぎ、飲食物の変質を防止するためのものであるが、この容器内に収容されている飲食物を衛生的且つ上品にあるいはおいしく飲食するために、容器に各種の付属品を付けることが行われ、飲食物としての付加価値を更に上げることが多くなって来ている。簡単な例では、容器にストローを予め粘着テープや輪ゴムなどで添付して、容器内の飲物を衛生的且つ上品に飲むことができるようにしたり、同様に、容器に砂糖やミルクを予め添付して容器内の飲物に添加して、おいしく飲めるようにしている。しかしながら、これらのものでは輸送中や商品陳列中に容器からストロー、砂糖やミルクが外れたり、これらの付属品により必要以上にかさばることになり、輸送コストがかさんだり、陳列スペースを必要以上に占めることになって、不都合なことが起こりやすい。
【０００３】
【先行文献１】特開２００２−１２０８７１号公報
先行文献１には、上記の不都合な点を解消するものとして、図１２に示すように、容器ａにストローｂ入りのパッケージｃの膨らみを収納しうる凹部ｄを形成し、シュリンクフィルムｅにパッケージｃを貼り付け、凹部ｄにパッケージｃを収納した状態で容器ａにシュリンクフィルムｅを被せたものが記載されている。したがって、この容器ａによれば、凹部ｄにパッケージｃを収納しているために出っ張りがなく、輸送コストがかさんだり、陳列スペースを必要以上に占めることなく、付属品たるストローｂ入りのパッケージｃをシュリンクフィルムｅに貼り付けているから外れることもない。
【０００４】
【先行文献２】実開平５−１９１３８号公報
また、先行文献２には、図１３に示すように、開封片ｆ付の金属製缶の容器ａ１に取付部ｇを内側に向けて突設し、該取付部ｇにストローｂ入りのパッケージｃを取り出し可能に備え付けたものが記載されている。したがって、この容器ａ１によれば、内側に向けて突設した取付部ｇにストローｂ入りのパッケージｃを収納できるから出っ張りがなく、パッケージｃの上から粘着テープｈを張り付ければ、ストローｂ入りのパッケージｃの脱落もなくなる。
【０００５】
【先行文献３】特開平６−１１５５５４号公報
更に、先行文献３には、図１４に示すように、金属製缶の容器ａ２にその延在方向に沿って溝部ｉが形成され、この溝部ｉにパッケージｃに包装されたストローｂが貼り付けられたものが記載されている。したがって、この容器ａ２によれば、溝部ｉにパッケージｃに包装されたストローｂが収納且つ貼り付けられるから、出っ張りがなく、ストローｂ入りのパッケージｃの脱落もなくなる。
【０００６】
【発明が解決しようとする課題】
ところが、先行文献１の例では、凹部ｄがストローｂ入りのパッケージｃを収納できても、その状態を保持できないから、工業的生産ラインではシュリンクフィルムｅにストローｂ入りのパッケージｃを貼り付けた後、そのシュリンクフィルムｅを容器ａに被せる際、凹部ｄにストローｂ入りのパッケージｃを収納しなければならず、その位置決めが難しいという問題点がある。また、外力により凹部ｄにストローｂ入りのパッケージｃを収納した状態を保持する必要があり、工業的生産ラインが複雑となり、更に、容器ａ内の飲物を全て飲みきらず、一時保管するような場合は、蓋付であってもストローｂを容器ａ内に入れたままか、ストローｂを外して容器ａに蓋を被せ、ストローｂを別途保管しなければならず、衛生的でなくしかも煩わしいことになる。
【０００７】
先行文献２の例では、容器ａ１は金属製缶であるため、取付部ｇの構造上製作が難しく高コストになりやすく、更に、取付部ｇからストローｂ入りのパッケージｃが脱落しないようにするためには、取付部ｇにパッケージｃを嵌め込む作業以外に、粘着テープｈを別途貼る必要があり、余分な作業が必要となる。
【０００８】
更に先行文献３の例では、容器ａ２の溝部ｉからストローｂ入りのパッケージｃが脱落しないようにするためには、溝部ｉに接着剤を塗布し、パッケージｃを溝部ｉに収納すると共に接着する必要があり、溝部ｉに接着剤を塗布するという余分な作業が必要となる。
【０００９】
そこで、本発明の目的は、容器に付属品を付設しても容器の外形寸法からはみ出ず、容器から付属品が脱落しないで、しかも製作が容易であり、更に一旦容器から付属品を外しても、再び容器に嵌めることができる付属品収納機能付き容器を提供することにある。
【００１０】
【課題を解決するための手段】
本発明は、上記目的を達成するために提案されたものであって、下記の構成からなることを特徴とするものである。
すなわち、本発明によれば、容器の側部に１以上の付属品収納凹部を設け、該収納凹部はその下部に前記付属品の支持台座を有すると共にその上部を開放し、且つ、前記付属品に圧接的に摺接する収納止め部を有することを特徴とする付属品収納機能付き容器が提供される。
【００１１】
また、本発明によれば、前記収納止め部は、収納凹部端部に前記付属品に圧接的に摺接する微小突起が設けられている上記付属品付き容器が提供される。
【００１２】
また、本発明によれば、前記容器の収納凹部に前記付属品を収納し、該付属品  の上部を裸出した状態でラベル用のシュリンクフィルムを被せてなる上記付属品付き容器が提供される。
【００１３】
また、本発明によれば、前記付属品は前記収納凹部に収納した状態で前記容器のほぼ最大外形寸法の範囲内にある上記付属品付き容器が提供される。
【００１４】
また、本発明によれば、前記付属品は、両端が封止された筒状のシート又はフィルムによって包装されたストローである上記付属品付き容器が提供される。
【００１５】
また、本発明によれば、前記付属品は、両端が封止されたスティックタイプの調味品である上記付属品付き容器が提供される。
【００１６】
【発明の実施の形態】
以下に、図面を参照して本発明の実施の形態を説明する。
図１は本発明の実施の形態を示す付属品付き容器の側面図、図２は図１の付属品付き容器の半裁断面図、図３は図２のＩＩＩ−ＩＩＩ  線に沿う断面図、図４は図２のＩＶ−ＩＶ  線に沿う断面図である。
図において、付属品容器１は、容器２の側部３に付属品４を納める収納凹部５を設け、この収納凹部５はその下部に付属品４の支持台座６を有すると共にその上部を開放し、且つ付属品４を止める収納止め部７を有し、更に容器２の収納凹部５に付属品４を収納し、その付属品４の上部を裸出した状態でラベル用のシュリンクフィルム８を被せてなるものである。
【００１７】
本発明において付属品とは、容器内の食品や飲料を食する際に補助的に用いられる物を言い、代表的には、ストローやスティックタイプの砂糖あるいはミルクなどが挙げられるが、これらに限られるものではなく、箸やスプーンあるいはフォークなどであってもよい。
前記容器２は、形状・材質ともに特に限定がないが、内容物が付属品４を必要とし、そのような内容物を収容するためのものである必要がある。この実施形態では、容器２はペットボトル１０であり、口部１１、肩部１２、胴部１３及び底部１４からなり、口部１１には蓋１５が螺着されている。そして、この容器２の側部３、すなわち、ペットボトル１０の底部１４上の胴部１３から肩部１２にかけて付属品４の収納凹部５を設けている。
【００１８】
この収納凹部５は、付属品４の形状に対応してその形状が任意に変えられる。この実施形態では付属品４が両端が封止された筒状のシート又はフィルム、つまり袋２０に入ったストロー２１であるので、収納凹部５は袋２０入りストロー２１に合わせた形状となっている。この収納凹部５は、底部１４の直ぐ上に袋２０入りストロー２１の支持台座６があり落下を防ぎ、支持台座６の上の部分が袋２０入りストロー２１が収納できる凹み２２となって肩部１２まで続き、上部が開放している。更に、この収納凹部５の凹み２２は、ストロー２１の外径と圧接的に褶接する程度の内径を有し、袋２０入りストロー２１が収納された状態で外方にはみ出さない程度の充分なスペースを有して、輸送時や陳列時に余分なスペースを占めることを防いでいる。
【００１９】
そして、収納凹部５は、これに袋２０入りストロー２１を収納した際、付属品が脱落しないように収納止め部７が形成されている。この収納止め部７はストロー２１の外径と圧接的に褶接する程度の内径を有するように形成される。収納凹部の端部には、微小突起２３を形成しておいてもよい。この例では、微小突起２３を収納凹部５の上部と下部の二箇所に有している。この微小突起２３は、容器２が二軸延伸成型によるペットボトルあるいはダイレクト成型によるブローボトルであれば、ボトルに成型した収納凹部５とボトルのパーティングラインとに対して、若干の無理抜きをすることで容易に形成することができる。
【００２０】
また、この収納止め部７は、収納凹部５の凹み２２の開口を若干窄（すぼ）めたものでも良い。いずれにしても、この収納止め部７の構造は、付属品４を仮止めないし一時止め置くことができるものであれば良く、製作上で大きな負担を強いない範囲内であれば良い。収納止め部７の収納止め強度が高ければ、ペットボトル１０内の飲物を一度に消費仕切らなかったとき、ストロー２１を収納凹部５に嵌め口部１１に蓋１５を螺着すれば、再度、鞄などに入れて好適に持ち運びもできることになる。
【００２１】
前記付属品４のストロー２１は、図５ないし７に示すように種々の形があり、図５のものは繰り出し式ストロー２１ａであり、容器２が小さい場合に有効であり、図６のものは蛇腹式ストロー２１ｂであり、蛇腹部２４を曲げたり引き延ばすことにより容器２内の飲物を飲みやすくなる効果があり、図７は図６のストロー２１ｂを引き伸ばした状態を示している。
【００２２】
また、前記付属品４は、ストロー２１以外に後に詳述する砂糖やミルクなどのスティックパック３０などであり、特に限定がなく、例えば、景品やおまけなど厳密には付属品とは言えないようなものでも良い。なお、図１、２のストロー２１はペットボトル１０に螺着された蓋１５よりも高くなっているが、これでは輸送時や陳列時に余分なスペースをとることになるので、通常蓋１５よりも低くなっている。すなわち、付属品４である袋２０入りストロー２１は、前記収納凹部５に収納した状態で、容器２であるペットボトル１０のほぼ最大外形寸法、図１に示す外径Ｒ×高さＨの範囲内にある。
【００２３】
前記シュリンクフィルム８は、ラベルやペットボトル１０内の飲物の広告媒体として利用されると共に内容物の設明書を兼ねており、その上にペットボトル１０の収納凹部５に収納した袋２０入りストロー２１を強固に保持、固定するものである。そして、袋２０入りストロー２１の上部を裸出した状態でシュリンクフィルム８を被せているから、袋２０の上部だけを破ることでストロー２１を容易に取り出すことができ、広告媒体や説明書としての機能を備えたシュリンクフィルム全体を破り捨てる必要はない。
【００２４】
次に、上記構成になる付属品付き容器１の利用をペットボトルの例について説明する。
まず、ペットボトル１０及びこれに適するストロー２１を選択し、ペットボトル１０内に飲物を充填し終わったら、ペットボトル１０の口部１１に蓋１５を螺着し、ペットボトル１０の収納凹部５の凹み２２の開口に袋２０入りストロー２１をあてがい押して変形させ、収納止め部７である微小突起２３を乗り越えて凹み２２に嵌める。この状態で袋２０入りストロー２１は凹み２２に嵌り支持台座６にて支持されているから、強い外力が働かない限り収納凹部５から脱落することがなく、袋２０入りストロー２１の上部を裸出した状態でラベル用のシュリンクフィルム８を被せ加熱して収縮させ、その他の必要な包装があれば行い最終製品とする。この最終製品は、輸送や陳列されてユーザーに渡るが、袋２０入りストロー２１があってもペットボトル１０のほぼ最大外形寸法の外径Ｒ×高さＨの範囲内にあるから、特に支障が発生しない。
【００２５】
ユーザーは消費に際して、まず、包装があればそれを取り除き、袋２０の上部を破きストロー２１を取り出し、更に蓋１５を螺脱しストロー２１を口部１１からペットボトル１０内に差し込み、飲物を飲むことができる。飲物を全て飲みきった場合は、ペットボトル１０から切取線２６によりシュリンクフィルム８を外し更に袋２０を外して、ペットボトル１０、袋２０、ストロー２１及びシュリンクフィルム８を各自治体の分別基準に従って廃棄する。
【００２６】
一方、飲物が残った場合は、ペットボトル１０からストロー２１を抜き取り、袋２０に差し込み収納し、更にペットボトル１０の口部１１に蓋１５を螺着すれば、鞄などに入れて持ち運びもでき、ストロー２１が紛失したり不衛生になることもない。そして、再び飲物を飲みたい場合は、蓋１５を螺脱し袋２０からストロー２１を取り出し、そのストロー２１を口部１１からペットボトル１０内に差し込めば、飲物を飲むことができ、飲物を全て飲みきった場合は、上述の要領でペットボトル１０、袋２０、ストロー２１及びシュリンクフィルム８を分け、各自治体の分別基準に従って廃棄すれば良い。
【００２７】
図８ないし１１は本発明の他の実施形態を示すもので、この付属品付き容器１ａと図１ないし４の実施形態との相違点は、付属品４である袋２０入りストロー２１がスティックパック３０に代わった点にある。
このスティックパック３０は、袋２０入りストロー２１に比べて、通常幅広であり長手方向の長さが短いから、これに合わせた形状の収納凹部５（ａ  ）となっている。また、スティックパック３０の内容物は特に限定がなく、例示すれば、ブラックコーヒーに対する砂糖や粉末ミルクであり、このようにすることにより好みの甘さやミルク量とすることができ、あるいはブラックコーヒーのまま飲むことも可能となる。
【００２８】
更に、ペットボトル１０内にはミネラルウォーターを入れておき、スティックパック３０内に水だし煎茶、顆粒状のドライジュース、顆粒状のコーヒーなどを収容しておけば、好みにより自由に味をコントロールできるものを提供できる。なお、スティックパック３０を収納する収納凹部５ａにプラスして、袋２０入りストロー２１を納める収納凹部５を別に設けても何ら差し支えない。その他の構成、作用は図１ないし４の実施形態と同様なので、図面に符号を付してその説明を省略する。
以上、本発明の実施形態を説明したが、具体的な構成はこれに限定されず、本発明の要旨を逸脱しない範囲での変更は任意になし得るものと理解されるべきである。
【００２９】
【発明の効果】
以上詳述したように、本発明によれば、容器の側部に設けた１以上の収納凹部に付属品を嵌めると、付属品は支持台座により支持され且つ収納止め部により脱落防止となり、付属品が収納凹部に確実に保持されるから、容器内に飲食物を収容する以後の作業が容易となり、内容物の消費段階でも収納凹部に付属品を確実に保持することができる効果がある。
また、本発明によれば、上記効果に加えて、ラベル用のシュリンクフィルムを利用して、容器の収納凹部に収納した付属品を確実に保持、固定するから、製作過程で新たな材料や設備を使用しなくても良く、更に付属品の上部を裸出してあるから、シュリンクフィルム全体を破らないでも付属品を取り出すことができるという効果がある。
また、付属品があっても、容器のほぼ最大外形寸法の範囲内にあるから、かさばらず輸送や陳列時あるいは消費段階での保管も容易となる効果がある。
【図面の簡単な説明】
【図１】本発明の実施の形態を示す付属品付き容器の側面図である。
【図２】図１の付属品付き容器の半裁断面図である。
【図３】図２のＩＩＩ−ＩＩＩ  線に沿う断面図である。
【図４】図２のＩＶ−ＩＶ  線に沿う断面図である。
【図５】本発明の実施の形態を示す付属品であるストローの側面図である。
【図６】本発明の実施の形態を示す付属品であるストローの側面図である。
【図７】図６のストローを引き伸ばした状態を示す側面図である。
【図８】本発明の他の実施の形態を示す付属品付き容器の側面図である。
【図９】図８の付属品付き容器の半裁断面図である。
【図１０】図９のＸ−Ｘ  線に沿う断面図である。
【図１１】図９のＸＩ−ＸＩ  線に沿う断面図である。
【図１２】先行文献１に示した従来例の斜視図である。
【図１３】先行文献２に示した従来例の斜視図である。
【図１４】先行文献３に示した従来例の斜視図である。
【符号の説明】
１                        付属品付き容器
２，ａ，ａ１，ａ２        容器
３                        側部
４                        付属品
５，５（  ａ）                収納凹部
６                        支持台座
７                        収納止め部
８，ｅ                    シュリンクフィルム
１０                      ペットボトル
１１                      口部
１２                      肩部
１３                      胴部
１４                      底部
１５                      蓋
２０                      袋
２１，ｂ                  ストロー
２１ａ                    繰り出し式ストロー
２１ｂ                    蛇腹式ストロー
２２                      凹み
２３                      微小突起
２４                      蛇腹部
２５                      切取線
３０                      スティックパック
ｃ                        パッケージ
ｄ                        凹部
ｆ                        開封片
ｇ                        取付部
ｈ                        粘着テープ
ｉ                        溝部
【図１】
2004231231.tif 000003
【図２】
2004231231.tif 000004
【図３】
2004231231.tif 000005
【図４】
2004231231.tif 000006
【図５】
2004231231.tif 000007
【図６】
2004231231.tif 000008
【図７】
2004231231.tif 000009
【図８】
2004231231.tif 000010
【図９】
2004231231.tif 000011
【図１０】
2004231231.tif 000012
【図１１】
2004231231.tif 000013
【図１２】
2004231231.tif 000014
【図１３】
2004231231.tif 000015
【図１４】
2004231231.tif 000016